(57)【特許請求の範囲】
【請求項１】
シートに着座した乗員の後頭部を支承する支承部材と、この支承部材の背面側に組み付けられるカバー部材とから成り、このカバー部材の内部には、ボックス状のハウジングと、このハウジングに組み付けられた音声出力部とから成るスピーカが組み付けられているヘッドレストであって、
ハウジングは、上下方向に長い略直方体を成すボックス状に構成されており、
ハウジングの外側の側壁と背面側の側壁には、その内部と外部とが連通する開放部が形成されており、
その開放部がカバー部材の内面によって閉塞されてハウジングの内部が気密状態となるように、ハウジングはカバー部材の内面に組み付けられており、
ハウジングをカバー部材の内面に組み付けるとき、シール部材を介して組み付けることを特徴とするヘッドレスト。
【請求項２】
請求項１に記載のヘッドレストであって、
ハウジングの正面側の側壁の内面のうち、開放部が形成されている側の端部には、カバー部材の内面に形成されている係止孔に引っ掛け可能な係止片が形成されていることを特徴とするヘッドレスト。
【発明の詳細な説明】
【技術分野】
【０００１】
本発明は、ヘッドレストに関し、詳しくは、シートに着座した乗員の後頭部を支承する支承部材と、この支承部材の背面側に組み付けられるカバー部材とから成り、このカバー部材の内部には、ボックス状のハウジングと、このハウジングに組み付けられた音声出力部とから成るスピーカが組み付けられているヘッドレストに関する。
【背景技術】
【０００２】
この種のヘッドレストとして、例えば、図５に示されるヘッドレストが既に知られている。このヘッドレストは、シート（図示しない）に着座した乗員の後頭部を支承する支承部材１１０と、この支承部材１１０の背面側（後面側）に組み付けられるカバー部材１２０とから構成されている。このカバー部材１２０の左右の内面には、ボックス状のハウジング１３２、１４２と、これら両ハウジング１３２、１４２に組み付けられた音声出力部１３４、１４４とから構成されるスピーカ１３０、１４０がそれぞれ組み付けられている。これら両スピーカ１３０、１４０によって、乗員は、ヘッドレストから音楽等を聴くことができる。
【０００３】
なお、この出願の発明に関連する先行技術文献情報としては、例えば、特許文献１が知られている。
【特許文献１】特開２００５−５８２８７号公報
【発明の開示】
【発明が解決しようとする課題】
【０００４】
しかしながら、上述した従来技術では、内部容量の大きなハウジング１３２、１４２から構成されるスピーカ１３０、１４０、すなわち、音響性能の良いスピーカ１３０、１４０をカバー部材１２０の内面に組み付けることは困難であった。
【０００５】
本発明は、このような課題を解決しようとするもので、その目的は、内部にスピーカを組み付ける場合であっても、音響性能の良いスピーカを組み付けることができるヘッドレストを提供することを課題とする。
【課題を解決するための手段】
【０００６】
本発明は、上記の目的を達成するためのものであって、以下のように構成されている。
請求項１に記載の発明は、シートに着座した乗員の後頭部を支承する支承部材と、この支承部材の背面側に組み付けられるカバー部材とから成り、このカバー部材の内部には、ボックス状のハウジングと、このハウジングに組み付けられた音声出力部とから成るスピーカが組み付けられているヘッドレストであって、ハウジングは、上下方向に長い略直方体を成すボックス状に構成されており、ハウジングの外側の側壁と背面側の側壁には、その内部と外部とが連通する開放部が形成されており、その開放部がカバー部材の内面によって閉塞されてハウジングの内部が気密状態となるように、ハウジングはカバー部材の内面に組み付けられており、ハウジングをカバー部材の内面に組み付けるとき、シール部材を介して組み付けることを特徴とする。
この構成によれば、ハウジングの側壁に開放部が形成されている場合であっても、このハウジングの内部が密閉状態となるようにスピーカをカバー部材の内部に組み付けるため、従来技術で説明したハウジング、すなわち、開放部が形成されていないハウジングと比較すると、開放部の容量だけハウジングの内部容量を大きくすることができる。そのため、カバー部材の内部に音響性能の良いスピーカを組み付けることができる。また、この構成によれば、シール部材によってハウジングの内部の密閉性を向上させることができる。そのため、スピーカの音響性能を向上させることができる。
【０００７】
また、請求項２に記載の発明は、請求項１に記載のヘッドレストであって、ハウジングの正面側の側壁の内面のうち、開放部が形成されている側の端部には、カバー部材の内面に形成されている係止孔に引っ掛け可能な係止片が形成されていることを特徴とする。
この構成によれば、ハウジングの外側の側壁に形成されている開放部（外側の側壁の開放部）をカバー部材の内面（内側面）によって閉塞させるとき、これら係止片と係止孔とを引っ掛けることができる。したがって、開放部が形成されているため外側の側壁にボスを設けることができずに外側の側壁とカバー部材の内面との間でビス留めができない場合であっても、外側の側壁とカバー部材の内面とを密着させることができる。結果として、外側の側壁の開放部の閉塞の度合いを高めることができるため、ハウジングの内部の密閉性をより向上させることができる。
【発明を実施するための最良の形態】
【０００８】
以下、本発明を実施するための最良の形態を、図１〜４を用いて説明する。図１は、本発明の実施例に係るヘッドレストの分解斜視図である。図２は、図１のカバー部材にスピーカを組み付けた状態を示している。図３は、図２の支承部材とカバー部材を組み付けた状態を示している。図４は、図３のＡ−Ａ線断面図である。なお、以下の説明にあたって、上、下、前、後、左、右とは、上述した各図に記載した、上、下、前、後、左、右の方向、すなわち、シートに着座した乗員を基準にしたときの上、下、前、後、左、右の方向を示している。
【０００９】
はじめに、図１を参照して、本発明の実施例に係るヘッドレストを説明する。このヘッドレストは、シート（図示しない）に着座した乗員の後頭部を支承する支承部材１０と、この支承部材１０の背面側（後面側）に組み付けられるカバー部材２０とから構成されている。以下に、これら支承部材１０と、カバー部材２０とを個別に説明する。
【００１０】
まず、支承部材１０から説明する。支承部材１０は、ヘッドレストの骨格を形成するパネル部材（図示しない）と、ヘッドレストの外形を形成するパッド（図示しない）と、パネル部材の前面にパッドを配設した状態でパッドの前面からパネル部材の縁を包み込む格好となるようにパッドとパネル部材とを一体にカバーリングする表皮１４とから構成されている。このパネル部材の背面側（後面側）には、左右１対を成すステー１２、１２が組み付けられている。これら両ステー１２によってヘッドレストをシートバック（図示しない）に組み付けることができる。
【００１１】
次に、カバー部材２０を説明する。カバー部材２０は、支承部材１０の背面（後面）を覆うために形成された矩形状のケース部材から構成されている。このカバー部材２０の左右の内面には、スピーカ３０、４０がそれぞれ組み付けられている。これら両スピーカ３０、４０について詳述すると、両スピーカ３０、４０は、略直方体状に構成されたボックス状のハウジング３２、４２と、これら両ハウジング３２、４２の正面（前面）に組み付けられ音楽等が出力される音声出力部３４、４４とからそれぞれ構成されている。
【００１２】
これら両ハウジング３２、４２のうち、左側のハウジング３２は、その左面と背面が完全に開放されることによって、その内部と外部とが連通する状態となっている。すなわち、左側のハウジング３２は、その左面側の壁と背面側の壁が存在しておらず、開放部３６が形成された状態となっている。この記載が、特許請求の範囲に記載の「ハウジングの側壁には、その内部と外部とが連通する開放部が形成されており」に相当する。
【００１３】
そして、カバー部材２０の左内面と背面とによってハウジング３２の開放部３６が閉塞されるように、ハウジング３２に形成された両係止片３２ａをカバー部材２０に形成された両係止孔２２に引っ掛け、その引っ掛け状態でハウジング３２に形成された両取付部３２ｂをカバー部材２０に形成された両受け座２６にネジ５０止めさせて、ハウジング３２をカバー部材２０の左側の内面に組み付けている（図２参照）。このとき、ハウジング３２の左面側と背面側の縁にはシール部材Ｓが塗布されており、この塗布状態でハウジング３２をカバー部材２０の左側の内面に組み付けている。
【００１４】
このように組み付けると、カバー部材２０の左内面と背面とによってハウジング３２の開放部３６が閉塞される格好となる。これにより、ハウジング３２の内部を密閉させることができる。したがって、ハウジング３２の内部で音声出力部３４から出力される音楽等を反響させることができる。
【００１５】
一方、右側のハウジング４２も、上述した左側のハウジング３２に対して左右対称となるように開放部４６が形成されている。そして、左側のハウジング３２と同様に、右側のハウジング４２に形成された両係止片４２ａをカバー部材２０に形成された両係止孔２４に引っ掛け、その引っ掛け状態でハウジング４２に形成された両取付部４２ｂをカバー部材２０に形成された両受け座２８にネジ６０止めさせて、シール部材Ｓを介してハウジング４２をカバー部材２０の右側の内面に組み付けることができる。
【００１６】
このようにして、左側のハウジング３２と同様に、右側のハウジング４２の内部も密閉させることができる。そのため、ハウジング４２の内部で音声出力部４４から出力される音楽等を反響させることができる。
【００１７】
上述した支承部材１０とカバー部材２０を組み付けてヘッドレストは組み立てられる（図３、図４参照）。
【００１８】
本発明の実施例に係るヘッドレストは、上述したように構成されている。この構成によれば、左右のハウジング３２、４２の側壁に開放部３６、４６が形成されている場合であっても、これら両ハウジング３２、４２の内部が密閉状態となるようにスピーカ３０、４０をカバー部材２０の内部に組み付けるため、従来技術で説明したハウジング１３２、１４３、すなわち、両開放部３６、４６が形成されていないハウジング１３２、１４２と比較すると、両開放部３６、４６の容量だけ両ハウジング３２、４２の内部容量を大きくすることができる。そのため、カバー部材２０の内部に音響性能の良いスピーカ３０、４０を組み付けることができる。
【００１９】
また、この構成によれば、シール部材Ｓによって両ハウジング３２、４２の内部の密閉性を向上させることができる。そのため、両スピーカ３０、４０の音響性能を向上させることができる。
【００２０】
上述した内容は、あくまでも本発明の一実施の形態に関するものであって、本発明が上記内容に限定されることを意味するものではない。
実施例では、ボックス状の両ハウジング３２、４２は、略直方体状に構成されている場合を説明した。しかし、これに限定されるものでなく、両ハウジング３２、４２は、ボックス状に構成されていれば各種の形状（例えば、略楕円形状等）に構成されていても構わない。
【図面の簡単な説明】
【００２１】
【図１】図１は、本発明の実施例に係るヘッドレストの分解斜視図である。
【図２】図２は、図１のカバー部材にスピーカを組み付けた状態を示している。
【図３】図３は、図２の支承部材とカバー部材を組み付けた状態を示している。
【図４】図４は、図３のＡ−Ａ線断面図である。
【図５】図５は、従来技術に係るヘッドレストの分解斜視図である。
【符号の説明】
【００２２】
１０    支承部材
２０    カバー部材
３０    スピーカ
３２    ハウジング
３４    音声出力部
３６    開放部
４０    スピーカ
４２    ハウジング
４４    音声出力部
４６    開放部
Ｓ      シール部材
【図１】
0005309671.tif 000002
【図２】
0005309671.tif 000003
【図３】
0005309671.tif 000004
【図４】
0005309671.tif 000005
【図５】
0005309671.tif 000006